(57)【特許請求の範囲】
【請求項１】
左右両側に２本づつの支柱を逆Ｖ字状に配した頭部位置で接続体に固定し、該両側の接続体間に支えられた棟体に適宜間隔を有して吊り下げ玩具を取り付けた吊り下げ体操玩具において、
吊り下げ玩具の吊り下げベルトの長さ方向にスナップボタンを複数配して、前記棟体に吊り下げベルトの上端を折り返して、前記スナップボタンのいずれかに留め該吊り下げベルトの長さを調整可能とし、該吊り下げ玩具を前記棟体に取り外し可能に吊り下げたことを特徴とする吊り下げ体操玩具。
【発明の詳細な説明】
【０００１】
【産業上の利用分野】
本発明は乳幼児用玩具に関し、特にブランコ式の吊り下げ体操玩具の改良に関する。
【０００２】
【従来の技術】
従来、乳幼児の吊り下げ体操玩具は、ブランコ式でブランコ部分にいろいろな軟質樹脂製のキャラクタ人形が取り付けられている。また、側面の横柱には回転自在な玩具が取付けられている。
乳幼児がまだ起きれないうちはブランコの下で仰向けにたって手でブランコのキャラクタ人形を揺らして楽しむのである。
【０００３】
また、乳幼児は、同玩具の側面の回転玩具を回転させると音がするので、なおさら面白がって運動をしながら、体操をするのである。
さらに乳幼児は、ブランコのキャラクタ人形を手でキャラクタ人形を揺らして楽しみながら手腕の筋肉を付けるのである。
乳幼児が少し大きくなって起てるようになると、棟柱を伝え歩いたりして遊びながら知らず知らずのうちに体力を増強するのである。
【０００４】
【発明が解決しようとする課題】
従来の吊り下げ体操玩具には以下のような問題点があった。
１）乳幼児の発育状況によっては、乳幼児ブランコの下で仰向けになってもブランコのキャラクタ人形に手が届かない場合があった。これはブランコの棟柱のかすがいにキャラクタ人形を吊り下げているベルトがミシンで縫いつけられていたから長さ調整ができないでいた。
【０００５】
２）ブランコの下で仰向けになった乳幼児には、ブランコのキャラクタ人形が静止した状態では正面を向いているため、底部しか見えなかった。
３）回転玩具を音がする構造とするために硬質プラスチック製としてあり、乳幼児には手が小さいのでつかみづらかった。さらに回転玩具は回転するので硬質プラスチックでは乳幼児にぶつかると危険であった。
【０００６】
４）支柱間に架け渡される横柱の両端は先端が球状で立割りなっていて、支柱に開口した丸穴に球状の立割部を差し込み挿着し固定していた。この方式では、差し込み時に球状部が立割で狭まり丸穴をくぐり抜け、支柱内部で球状部が弾性により戻り抜けないようになっていた。
しかし、横柱を支柱から抜き取る際に横柱長手方向には横柱を引かねばならず、他方の支柱を外側にずらさなければならなかった。
さらに立割部が支柱内部に挿着されていて見ないので、抜き取りの力加減が判らず、球状部がうまく狭まらずに非常に抜き取りにくかった。
【０００７】
５）同玩具の組立にあたり、支柱は接続部がテーパー式の差し込み方式としてあり、力の入れ加減の具合により、差し込み方が不均一になり、床に置くとガタガタしてしまうことがあった。あまり差し込みが緩いと、乳幼児が寄りかかった場合に抜けて倒れる危険があった。そこで、支柱を接続体に力一杯に押し込んで組み立てると、分解するときになかなか抜けない状態になっていた。
６）棟柱は左右二本づつの逆Ｖ字の支柱に支えられており、棟柱に歪があると平な床に置いても、支柱の足が床に付かずガタガタしてしまうことがあった。
本発明は、上記した問題点を改善した乳幼児用の吊り下げ体操玩具を得ることを目的として行われた。
【０００８】
【課題を解決するための手段】
本発明では、上記課題を解決した吊り下げ体操玩具とするために以下のごとく改善をした。
左右両側に２本づつの支柱を逆Ｖ字状に配した頭部位置で接続体に固定し、該両側の接続体間に支えられた棟体（棟柱）に適宜間隔を有して吊り下げ玩具を取り付けた吊り下げ体操玩具において、
吊り下げ玩具の吊り下げベルトの長さ方向にスナップボタンを複数配して、前記棟体に吊り下げベルトの上端を折り返して、前記スナップボタンのいずれかに留め該吊り下げベルトの長さを調整可能とし、該吊り下げ玩具を前記棟体に取り外し可能に吊り下げた吊り下げ体操玩具とした。
【００１０】
【作用】
本願は上記のように構成したことにより、以下の通り作用を説明する。
吊り下げ玩具を吊り下げているベルトには、スナップボタンが複数設けてあるので、スナップボタンを取り外し、他のスナップボタンに掛け替えることで容易にベルトの長さ調整ができるのである。
【００１４】
【実施例】
本発明を図面に基づき詳細に説明すると、図１に乳幼児用の吊り下げ体操玩具の斜視図を示す。図２は同玩具の分解斜視図である。
乳幼児の吊り下げ体操玩具１は、高さが６０ｃｍ程で、幅が９０ｃｍ程の大きさで、公園にあるブランコとほぼ同一の形をしている。左右両側にコンパス状に脚を逆Ｖ字に開いた二本の支柱２がある。コンパスの頭部位置に接続体３が設けてあり、二本の支柱２、２を逆Ｖ字に固定している。
【００１５】
両側の接続体３、３間には棟柱４が架設されている。棟柱下面にはかすがい５が長さ方向に適宜間隔を有して３つ設けられている。かすがい５にはいろいろな軟質樹脂製のキャラクタ人形の吊り下げ玩具６が取り付けられている。
同一の接続体３に固定された二本の支柱２、２間には、同一高さに横柱接続部７が互いに対向して取り付けられている。該横柱接続部７、７間には横柱８が架け渡され、該横柱８には様々な回転自在な回転玩具９が貫通して取付けられている。
【００１６】
図３には吊り下げ玩具の斜視図を示す。この実施例では、丸鏡の上に犬の人形がついた軟質樹脂製のキャラクタ玩具１０が示されている。該キャラクタ玩具１０は逆Ｕ字のフレーム１１で上側から覆われている。逆Ｕ字のフレーム端は丸鏡の両端に位置し、フレーム端にキャラクター玩具１０を回転自在に保持している。
【００１７】
フレーム１１の上部にはビニール性のベルト１２が取り付けてあり、ベルト１２には長さ方向に上側から凸のスナップボタン１３が一ケ、凹のスナップボタン１４が二ケ設けてある。ベルト１２の上端の凸のスナップボタン１３は折り返して、凹のスナップボタンのいずれかに留める。これによりベルト１２の長さ調整を行う。
本吊り下げ玩具は６ベルト１２を棟柱のかすがい５に通して、吊り下げるのである。さらに吊り下げ玩具６をかすがい５から取り外すことも可能である。
また、スナップボタンの変わりにベルト表面を面ファスナーにすることにより自由にベルトの長さを調整可能としてもよい。
【００１８】
図４には吊り下げ玩具の側面図を示す。図４（Ａ）はキャラクタ玩具が正面を向いた側面図であり、図４（Ｂ）には吊り下げ玩具のキャラクタ玩具を手前に倒した側面図を示す。
丸鏡の両端には正四角柱の回転軸１５が横設されている。逆Ｕ字のフレーム下端には回転軸１５を受ける軸受１６がそれぞれ両側に設けてある。軸受１６は短辺が回転軸１５の形状に合わせた長四角の角穴１７になっており、角穴１７の長手方向両側には切込１８が切り開いてある。回転軸１５が軸受１６で４５度回転すると回転軸１５の対角線が角穴の長辺に当接し軸受１６の弾性により角穴１７が広がり、それ以上回転させると９０度回転する。回転軸１５はフレーム１１の外側で星形の蓋１９に固着されている。蓋体１９と軸受１６には互いに勘合する図示しない突起が設けてあり、キャラクタ玩具１０の回転範囲を直立位置から手前に９０に倒れる位置までと制限している。
【００１９】
図５には回転玩具の分解斜視図を示す。図６には回転玩具の底部断面図を示し、図６（Ａ）は第一実施例をしめす。
図５では雲に乗ったうさぎの人形の一例である回転玩具２は軟質樹脂性であり、横柱８に貫通して回転自在に取り付けられている。回転玩具９の雲の部分は左右に横柱８が貫通しており、回転玩具の貫通穴には軸受体２１が両側に設けてある。さらに回転玩具９の底部には硬質プラスチッツ性の底蓋２２が取り付けられ、底蓋２２の内側にはダイガスト製の重り２３がネジ留めされている。
回転玩具９の中には鈴２４が入っている。従って回転玩具９は常に直立状態になっているが、手で回転玩具９を回すと横柱８を回転軸として回転し、鈴２４が回転玩具９の中で転がり重り２３等にぶつかり音を発する。
【００２０】
図６（Ｂ）には回転玩具の底部断面図の第二実施例を示す。硬質樹脂性の底蓋２５にダイガスト製の重り２６をネジ留めする。重り２６は飯椀形状で底蓋に伏せた状態で底蓋２５に留められ、内部に硬質樹脂製の小球２７が複数入れてある。回転玩具９を回転させると、内部の小球２７が底蓋２５や重り２６の内側にぶつかり音を発するのである。
【００２１】
図７には横柱接続部を示す。図７（Ａ）は横柱接続部の正面図を示し、７（Ｂ）には横端接続部の側面図を示し、図７（Ｃ）は横柱接続部のホック部断面図を示す。
同一の接続体３に固定された二本の支柱２、２間には、同一高さに横柱接続部７が互いに対向して取り付けられている。
横柱接続部７は，硬質樹脂でできた斜体Ｔ字継手である。斜体Ｔ字継手はＴ字の上左右が支柱２を抱持している。Ｔ字の中棒部分は横柱８に接続される横柱継手２８である。横柱継手２８は、筒体の側面半分を取り除いた半筒体形状で支柱２に取り付けた状態では開口面２９が吊り下げ玩具側に向けられている。開口面端の内壁中央には直径方向にジェラコン樹脂製のＵ字状のホック３０が直径方向に取付けてある。ホック３０のＵ字の開口端は狭くなっている。
【００２２】
図８には横柱接続部に横柱を接続した側面図を示す。横柱接続部７は支柱２に取り付けてある。横柱８は丸棒であり両端部には係留部３１が取り付けてある。係留部３１は球状端部３１ａと内径部３１ｂと筒体部３１ｃから構成された回転体である。球状端部３１ａは横柱継手２８にはめ入れるように球状となっている。球状端部３１ａの内側がホック幅の小径部３２となって、筒体部３１ｃが横柱８の端に冠着されている。従って横柱８を吊り下げ玩具側から横柱継手２８にはめ入れると、球状端部３１ａがホック３０より内側に位置し、小径部３１ｂがホック３０のＵ字を押し開き圧入される。するとホック３０が係留部の小径部３１ｂを抱持する。従って横柱８を直径方向に引っ張つても容易には抜けない。
また、横柱８を長手方向に引っ張っても端部３１ａがホック３０に引っかかり抜けることはない。
【００２３】
図９には、支柱の取付部分の接続体の断面図を示す。接続体３はちょうどコンパスの頭部位置にあり、二本の支柱２、２を逆Ｖ字に固定している。接続体３はコ字状の両端を下側に袴状に開いた接続フレーム３２の中央背面には直交する棟継手３３が横設してある。
また、接続フレーム３２のコ字状両端には有底の筒体３４を逆Ｖ字になる形に設けてある。筒体３４の内径は支柱２の外径となっており、支柱２が着脱自在に挿着される。接続体３は、上記の接続フレーム３２、棟継手３３、筒体３４が硬質樹脂で一体成形された部材である。
支柱２は長さ７０ｃｍ程の棒状パイプで、支柱２の上端には支柱と同一径の係留部がネジ等で取り付けてある。係留部３５の上縁は丸みを設けた厚みのある円盤部３５ａであり、その下側は支柱の径より小さい短円柱のくびれ部３５ｂとなっている。
【００２４】
筒体３４の有底部側壁は切欠されており、接続フレーム内に設けたスプリング等の弾性部材３６で付勢される棒状の係止片３７が筒体３４内に水平に突出している。筒体３４に突出した係止片３７の一端は筒体３４の内壁面と交わる位置で下側が丸みを帯びている。支柱２を筒体に挿入したときに支柱の先端の円盤部３５ａの上縁の丸みで係止片３７が押されて、係止片３７が付勢に打ち勝ち筒体３４の外に戻るようになっている。
一端、筒体３４に挿入された支柱２は円盤部３５ａが筒体の有底に当接すると、係止片３７がくびれ部３５ｂに入る。従って支柱２を抜こうとしても円盤部３５ａが係止片３７に係留されて抜けないのである。
接続フレーム３２の側面に開口した長穴３８から係止片の一部であるボタン部３９が突出している。ボタン部３９を手でスライドさせることにより係止片３７を筒体３４の外部に戻すことができる。この状態で支柱２を抜くことができる。
【００２５】
図１０は接続体に棟柱を取り付ける長手方向断面図である。接続体３の接続フレーム３２からは水平に棟柱４の断面形状に合わせ、棟柱４を挿入内接する棟継手３３が横設されている。棟柱４は中空支柱で、端部内側には係留板４０が内設されており、棟柱下面には端面から爪４１とボタン４２がそれそれ棟柱下面に開口した爪穴４１ａとボタン穴４２ａから突出している。係留板４０は内側端が支軸４３で軸支されており、棟柱端位置で爪４１を下側に設け、バネ等の付勢部材４４で棟柱の下側端に爪４１を付勢している。爪４１は棟柱中央側位置の係留板４０の下側に設けたボタン４２を押すことにより、付勢に打ち勝って棟柱内部に押し戻すことができる。
また棟継手３３には棟柱４を挿着しときの爪位置に係留穴４５が開いており、爪４１が係留され棟柱が抜けないようになっている。
【００２６】
図１１は接続体に棟柱を取り付けた長手方向断面図である。図１１（Ａ）は棟柱の装着状態を示している。
棟柱４は接続フレーム３２の棟継手３３に挿入する。すると棟継手の端面に爪４１が押され、爪４１が棟柱内に戻されて棟柱４を棟継手内に挿入することができる。そして棟継手内に立設された壁面４６に棟柱４の端面が当接した状態になり、この位置で棟継手の係留穴４５に爪４１が付勢され係留される。
【００２７】
図１１（Ｂ）には棟柱を取り外す際の状態を示す。接続体３から棟柱４を取り外すには棟柱のボタン４２を手で押して係留板４０を上側に持ち上げて爪を棟柱内に押し上げる。すると棟継手の係留穴４５に係留している爪４１は外れるので棟柱４を棟継手３３から引き抜くのである。
【００２８】
図１２は棟継手に棟柱を接続した縦断断面図を示す。図１１も参照して説明する。
棟柱４の断面形状は蒲鉾形をしており、接続体３の棟継手３３に装着される。棟柱４の端部底面には左右両側に長穴４７が並設され、長穴４７からは足部４８が突出している。足部４８は長穴から突出した方形片４８ａと、棟柱内で方形片４８ａの上側に設けた水平板４８ｂと、水平板中央に立設した支持棒４８ｃと、水平板両側に立設された同一高さの短棒４８ｄ，４８ｄからなる。足部４８の上側の棟柱内部では中程の高さに左右をボス部４９で支持された水平な支持板５０が架設され、足部４８を立設した状態で支持棒４８ｃを貫通させる穴４８ａが左右に設けてある。
【００２９】
足部の方形片４８ａは、水平板４８ｂが棟柱の底面内側に当接することにより棟柱の底面から水平に且つ一定の長さまでしか突出しない。
足部の支持棒４８ｃにはバネ５１を挿入しており、バネ５１は足部の水平板４８ｃと支持板５０とを付勢し、足部４８を下方に押し下げる。水平板の両側の短棒４８ｄは足部４８が棟柱の底面と同一高さに押し上げられた際に、支持板５１に当接し、足部４８がそれ以上押し上げられ、方形片４８ａが長穴４７から外れないように制限するのである。
以上の如く左右の両足部４８は常に棟柱の底面に方形片４８ａを一定の高さで付勢され突出している。
【００３０】
図１２（Ａ）は、棟継手に棟柱を接続した縦断断面図のうち正常に接続された状態を示す。この場合は棟柱は上部分が棟継手の天井部全体に当接している。棟柱の底面には左右の足部が棟継手の床面内部に付勢されて当接しており、しっかりと装着されるのである。左右の足部は棟継手の床面により多少棟柱内に押し返されている。
【００３１】
図１２（Ｂ）は、棟柱が歪んでいる場合の装着状態を示している。この状態では棟柱４は断面が蒲鉾状であるから多少は棟継手内で傾くことが可能である。そしてこの状態では棟柱の左肩部分及び右肩部分が棟継手の内面に当接している。そしてさらに右足部が押されて上側に多少上がっており、左足部が棟継手床面に最大限突出して当接している。何れにせよ、足部が棟継手の床面に当節しており、接続でのグラツキはないのである。
【００３２】
【発明の効果】
上記構成による本発明の効果を述べる。
【００３７】
本玩具が設置された状態で棟体が外れたり、また棟体に歪が生じ支柱が浮き上がることはない。棟体は左右二つの接続体に接続されており、棟体の両端は接続体の棟継手との間で爪で係留するので、棟体が外れることがない。さらに棟体が床面の状況により棟継手との接続にゆがみが生じても棟体下端に設けた方形片により、棟継手との間にグラツキはない。従って床面が平坦でなくても支柱のグラツキを防ぐことができるのである。
【図面の簡単な説明】
【図１】乳幼児用の吊り下げ体操玩具の斜視図である。
【図２】乳幼児用の吊り下げ体操玩具の分解斜視図である。
【図３】吊り下げ玩具の斜視図である。
【図４】吊り下げ玩具の側面図である。
【図５】回転玩具の分解斜視図である。
【図６】回転玩具の底部断面図である。
【図７】横柱接続部の図である。
【図８】横柱接続部に横柱を接続した側面図である。
【図９】支柱の取付部分の接続体の断面図である。
【図１０】接続体に棟柱を取り付ける長手方向断面図である。
【図１１】棟継手に棟柱を取り付けた長手方断面図である。
【図１２】棟継手に棟柱を接続した縦断断面図である。
【符号の説明】
１…吊り下げ体操玩具
２…支柱
３…接続体
４…棟柱
５…かすがい
６…吊り下げ玩具
７…横柱継手
８…横柱
９…回転玩具
１０…キャラクタ玩具
【図１】
0003770924.tif 000002
【図２】
0003770924.tif 000003
【図３】
0003770924.tif 000004
【図４】
0003770924.tif 000005
【図５】
0003770924.tif 000006
【図６】
0003770924.tif 000007
【図７】
0003770924.tif 000008
【図８】
0003770924.tif 000009
【図９】
0003770924.tif 000010
【図１０】
0003770924.tif 000011
【図１１】
0003770924.tif 000012
【図１２】
0003770924.tif 000013